(57)【特許請求の範囲】
【請求項１】
放熱器に暖房水を循環供給する給湯管が接続されたプレッシャータンクを有し、このプレッシャータンクの上側に連結管を介してリザーブタンクを設置し、前記連結管に、前記プレッシャータンクと前記リザーブタンクとを連通・遮断し得るバルブ機構を設けた温水暖房装置であって、
前記バルブ機構として、シャフトの押し回し動作によって前記プレッシャータンクと前記リザーブタンクとを連通する隙間が形成されるものを用い、且つ、前記リザーブタンクの給水口をケーシングの天板に配置して、前記シャフトの押し回し動作を当該給水口より行えるように構成したこと特徴とする温水暖房装置。
【発明の詳細な説明】
【０００１】
【産業上の利用分野】
本発明は、プレッシャータンクに貯溜された暖房水を放熱器に循環供給して暖房する温水暖房装置に関するものである。
【０００２】
【従来の技術】
従来、この種の温水暖房装置においては、主として複雑な構造になるのを回避するため、プレッシャータンク内の暖房水が減った場合には、プレッシャータンクに設けられたプレッシャーキャップを手で開け、そこから暖房水をポンプ等でプレッシャータンク内に補給していた。
【０００３】
【発明が解決しようとする課題】
しかしながら、これでは、運転停止直後などのようにプレッシャーキャップが熱くなっている場合があり、そのときにプレッシャーキャップに手を触れると火傷をする危険があった。また、温水暖房装置を設計する際に、プレッシャーキャップが開けやすくなるようにその設置位置を定める必要があるので、プレッシャータンクのレイアウトが制限されるという不都合があった。
【０００４】
本発明は、上記事情に鑑み、暖房水の補給に際して火傷をする危険がなく、しかも、設計の際のプレッシャータンクのレイアウトの自由度が大きい温水暖房装置を提供することを目的とする。
【０００５】
【課題を解決するための手段】
即ち、本発明は、放熱器（温水マット、温水エアコン等）に暖房水を循環供給する給湯管が接続されたプレッシャータンクを有し、このプレッシャータンクの上側に連結管を介してリザーブタンクを設置し、前記連結管に、前記プレッシャータンクと前記リザーブタンクとを連通・遮断し得るバルブ機構を設けて構成される。
【０００６】
また、上記バルブ機構として、シャフトの押し回し動作によって前記プレッシャータンクと前記リザーブタンクとを連通する隙間が形成されるものを用いて構成される。
【０００７】
また、上記リザーブタンクの給水口をケーシングの天板に配置して構成される。
【０００８】
【作用】
上記した構成により、本発明では、バルブ機構を操作するだけで、リザーブタンク内の水が流下してプレッシャータンク内に暖房水として補給されるように作用する。バルブ操作は天板に配置したリザーブタンクの給水口より行うことができる。
【０００９】
【実施例】
以下、本発明の実施例を図面に基づいて説明する。
【００１０】
図１は本発明による温水暖房装置の一実施例を示す回路図、図２は図１に示す温水暖房装置を構成するプレッシャータンク及びリザーブタンクの詳細図、図３は図２に示す連結管に設けられたバルブ機構の拡大図であり、（ａ）は通常時の縦断面図、（ｂ）は給水時の縦断面図、図４は図３に示すバルブ機構を構成するシャフトガイドの詳細図であり、（ａ）は平面図、（ｂ）は正断面図、（ｃ）は（ａ）のＸ矢視図である。
【００１１】
本発明による温水暖房装置１は、図１に示すように、ケーシング２を有しており、ケーシング２内にはプレッシャータンク１６が設けられている。プレッシャータンク１６には、往路９ａと復路９ｂからなる給湯管９が接続されており、給湯管９の往路９ａは途中で２本に分岐している。往路９ａの分岐点より手前（プレッシャータンク１６側）には温水循環ポンプ１５が設けられており、２本に分岐した往路９ａの各先端にはそれぞれ往ヘッダ８、１０が連結されている。また、片方の往路９ａの途中には熱交換器１３が設けられており、熱交換器１３の下方にはバーナ１７が設置されている。バーナ１７にはガス管７が接続されており、ガス管７にはガスフィルタ４が設けられている。更に、バーナ１７の上方には給排気フード３５が熱交換器１３を覆うように設けられており、給排気フード３５内には給排気ファン３６が設置されている。一方、給湯管９の復路９ｂの先端には戻ヘッダ１２が連結されており、前記往ヘッダ８と戻ヘッダ１２との間には温水マット５が、また前記往ヘッダ１０と戻ヘッダ１２との間には温水エアコン６がそれぞれ接続されている。なお、給湯管９の往路９ａの往ヘッダ１０付近と復路９ｂの戻ヘッダ１２付近との間にはバイパス管２１が設けられている。
【００１２】
また、プレッシャータンク１６には水位電極１８が設けられており、プレッシャータンク１６内の暖房水の過不足を水位電極１８によって検出することができる。更に、プレッシャータンク１６の上側には、図２に示すように、連結管３７を介してリザーブタンク１９が載置されており、プレッシャータンク１６のプレッシャーキャップ１６ａとリザーブタンク１９との間にはオーバーフロー管２３が配設されている。また、連結管３７には、プレッシャータンク１６とリザーブタンク１９とを連通・遮断し得るバルブ機構２４が設けられており、バルブ機構２４は、図３に示すように、筒体２６、シャフトガイド２７、シャフト２９、Ｅリング３０、スプリング３１、バルブフランジ３２、弁シート３３及び係止ピン３４から構成されている。
【００１３】
即ち、バルブ機構２４は略円筒状の筒体２６を有しており、筒体２６内には、図４に示すように、円筒状の本体２７ｃの外周に４枚の羽根２７ｄを等角度間隔で配置した形状のシャフトガイド２７が固着されている。シャフトガイド２７の中央孔２７ａにはシャフト２９が筒体２６の軸心方向、即ち図３上下方向に摺動自在に嵌挿されており、シャフト２９の周面にはＥリング３０が嵌着されている。Ｅリング３０と筒体２６との間には螺旋状のスプリング３１が縮設されており、スプリング３１によってシャフト２９は常に筒体２６に対して上向きに弾性的に付勢されている。また、シャフト２９の下端にはバルブフランジ３２が螺合しており、バルブフランジ３２には弁シート３３が筒体２６の下側の開口部を閉塞し得る形で焼き付け固定されている。更に、シャフト２９の周面には２個の係止ピン３４が横向きに植設されており、シャフトガイド２７には２個の係止溝２７ｂが形成されている。
【００１４】
また、リザーブタンク１９の給水口１９ａは、図２に示すように、ケーシング２の天板２ａに嵌着されており、給水口１９ａには蓋２２が着脱自在に冠着されている。
【００１５】
本発明による温水暖房装置１は以上のような構成を有するので、この温水暖房装置１による暖房に際しては、温水循環ポンプ１５の回転駆動により、プレッシャータンク１６内の暖房水が給湯管９の往路９ａ及び往ヘッダ８、１０を経由して温水マット５及び温水エアコン６に供給され、これら温水マット５、温水エアコン６によって暖房が行なわれた後、戻ヘッダ１２及び給湯管９の復路９ｂを経由してプレッシャータンク１６内に戻る。この際、ガス管７からガスフィルタ４を介してバーナ１７に供給する燃焼ガスの量や給排気ファン３６の回転数を増減してバーナ１７の火力（燃焼エネルギー）を適宜調節することにより、温水マット５及び温水エアコン６における暖房能力を任意に設定することができる。
【００１６】
ところで、こうした温水暖房装置１による暖房中において、何らかの原因によってプレッシャータンク１６内の暖房水が不足した場合には、リザーブタンク１９の蓋２２を開け、シャフト２９を押し下げて所定の角度（例えば、４５°）だけ回転させる。すると、シャフト２９はスプリング３１の弾性に抗する形で下降し、この状態で２個の係止ピン３４がシャフトガイド２７の下面に当接するので、それまで筒体２６の下側の開口部を閉塞していた弁シート３３が下降し、弁シート３３と筒体２６との間に隙間が生じる。その結果、この隙間を通ってリザーブタンク１９内の水が流下してプレッシャータンク１６内に暖房水として補給される。こうして所定量の暖房水が補給されたところで、シャフト２９を逆向きに同じ角度だけ回転させる。すると、シャフト２９はスプリング３１の弾性によって上昇して元の位置に戻り、各係止ピン３４がシャフトガイド２７の各係止溝２７ｂに係合する。ここで、暖房水の補給動作が終了する。また、リザーブタンク１９内の水が減った場合には、リザーブタンク１９の蓋２２を開け、そこからポンプ等（図示せず）でリザーブタンク１９内に注水する。
【００１７】
従って、暖房水を補給する際に、プレッシャータンク１６のプレッシャーキャップ１６ａに手を触れる必要がないので、プレッシャーキャップ１６ａが熱くなっていても火傷をする心配はなく、安全である。また、プレッシャーキャップ１６ａを開ける動作が不要となるので、温水暖房装置１を設計する際に、プレッシャーキャップ１６ａの設置位置を特に考慮する必要がなく、プレッシャータンク１６のレイアウトの自由度が大きくなる。
【００１８】
【発明の効果】
以上説明したように、本発明によれば、温水マット、温水エアコン等の放熱器に暖房水を循環供給する給湯管が接続されたプレッシャータンクを有し、このプレッシャータンクの上側に連結管を介してリザーブタンクを設置し、前記連結管に、前記プレッシャータンクと前記リザーブタンクとを連通・遮断し得るバルブ機構を設けて構成したので、バルブ機構を操作するだけで、リザーブタンク内の水が流下してプレッシャータンク内に暖房水として補給されることから、暖房水の補給に際して火傷をする危険がなく、しかも、設計の際のプレッシャータンクのレイアウトの自由度が大きい温水暖房装置を提供することが可能となる。
【００１９】
また、上記リザーブタンクの給水口をケーシングの天板に配置して構成すると、バルブ操作をこの給水口より行うことがことができ、且つ、リザーブタンク内の水が減った場合に、リザーブタンク内に簡便に注水することができる。
【図面の簡単な説明】
【図１】本発明による温水暖房装置の一実施例を示す回路図である。
【図２】図１に示す温水暖房装置を構成するプレッシャータンク及びリザーブタンクの詳細図である。
【図３】図２に示す連結管に設けられたバルブ機構の拡大図であり、（ａ）は通常時の縦断面図、（ｂ）は給水時の縦断面図である。
【図４】図３に示すバルブ機構を構成するシャフトガイドの詳細図であり、（ａ）は平面図、（ｂ）は正断面図、（ｃ）は（ａ）のＸ矢視図である。
【符号の説明】
１……温水暖房装置
２……ケーシング
２ａ……天板
５……放熱器（温水マット）
６……放熱器（温水エアコン）
９……給湯管
１６……プレッシャータンク
１９……リザーブタンク
１９ａ……給水口
２４……バルブ機構
２９……シャフト
３７……連結管
【図１】
0003540421.tif 000002
【図２】
0003540421.tif 000003
【図３】
0003540421.tif 000004
【図４】
0003540421.tif 000005